(57)【要約】【課題】    異種の水密構造が集中することなく、水密性の向上を図ることができるカーテンウォール、およびこれを備えた建物を提供すること。【解決手段】横ＰＣ版２０の縦目地１３の延長上に縦ＰＣ版３０を配置し、この縦ＰＣ版３０の上下端面と横ＰＣ版２０とを横目地１４を介して接続したことで、これらの縦目地１３および横目地１４には、ＰＣ版１１同士を接続する同種の水密構造が採用できる。従って、縦目地１３および横目地１４が交差するジョイント部分に異種の水密構造が集中せず、水密性能上の弱点になりやすいジョイント部分における水密性の向上を図ることができる。また、ガラス面材１２の四周の取付構造として、ＰＣ版１１同士の水密構造とは異種の構造を採用した場合でも、ガラス面材１２が縦目地１３からずれているため、水密性能上の弱点とはならず、水密性を確保することができる。【選択図】  図１
2005213864.tif 000002
【特許請求の範囲】
【請求項１】
建物の外壁面を構成する複数のＰＣ版と、これらのＰＣ版に支持されるガラス面材とを備えて構成されるカーテンウォールであって、
前記複数のＰＣ版は、縦目地を介して水平方向に並設され、かつ上下に離隔して配置された横ＰＣ版と、これら上下の横ＰＣ版間に配置された縦ＰＣ版とを備えて構成され、前記横ＰＣ版の縦目地の延長上に前記縦ＰＣ版が配置され、この縦ＰＣ版の上下端面と前記上下の横ＰＣ版とが横目地を介して接続され、
前記ガラス面材は、上下端縁が前記上下の横ＰＣ版に支持され、左右の側端縁が左右の縦ＰＣ版に支持されているカーテンウォール。
【請求項２】
前記横ＰＣ版の上端面における前記ガラス面材の下方には、当該ガラス面材の下端縁に沿って断面略凹状の支持溝が形成され、この支持溝の溝底に設けた支持部材上に前記ガラス面材が載置されるとともに、当該支持溝の室外側側面と前記ガラス面材の室外面との間にシール材が介挿され、当該支持溝の室内側側面と前記ガラス面材の室内面との間に気密材が介挿され、
前記横ＰＣ版の上端面には、前記支持溝に連続するとともに、当該横ＰＣ版の側端面まで延びて前記縦目地に連通された排水溝が形成され、前記支持溝に浸入した雨水が前記排水溝および前記縦目地を介して室外側に排水可能に構成された請求項１に記載のカーテンウォール。
【請求項３】
前記横ＰＣ版の側端面同士は、前記縦目地内で上下方向に延びる室外側および室内側の止水部材と、室内側の止水部材よりもさらに室内側に設けられる気密部材と、これらの止水部材および気密部材の上端部間に渡って室内外方向に延びる連結シール材とでシールされ、
縦ＰＣ版の上下端面と前記上下の横ＰＣ版の下端面または上端面とは、前記横目地内で水平方向に延びる室外側および室内側の止水部材と、室内側の止水部材よりもさらに室内側に設けられる気密部材とでシールされ、
前記連結シール材の室外側端部が、前記排水溝よりも下方で、かつ前記室外側の止水部材よりも室外側に延出して設けられている請求項２に記載のカーテンウォール。
【請求項４】
前記横ＰＣ版の下端面、または前記縦ＰＣ版の側端面には、前記ガラス面材の上端縁、または左右の側端縁を室外側から支持する支持突部が形成されるとともに、当該ガラス面材の上端縁、または左右の側端縁を室内側から前記支持突部に向かって押圧する押縁が取り付けられている請求項２または請求項３に記載のカーテンウォール。
【請求項５】
請求項１から請求項４のいずれかに記載のカーテンウォールを備えた建物。
【発明の詳細な説明】
【技術分野】
【０００１】
本発明は、カーテンウォール、およびこれを備えた建物に関する。詳しくは、外壁面を構成する複数のＰＣ版と、これらのＰＣ版に支持されるガラス面材とを備えて構成されるカーテンウォール、およびこれを備えた建物に関する。
【背景技術】
【０００２】
従来より、建物の外壁面にＰＣ（プレキャストコンクリート）版を並べて配置し、これらのＰＣ版の間にガラス面材を支持させて、横連窓、または縦連窓の開口部を構成したカーテンウォールが知られている（例えば、特許文献１参照）。
特許文献１に記載されたカーテンウォールは、格子状に並べて配置されたＰＣ版および板ガラスで構成され、ＰＣ版の上下、または左右の端面に板ガラス取付条溝を形成し、この板ガラス取付条溝に雨除け材および気密材を介して板ガラスを取り付けて、横連窓、または縦連窓の窓開口が形成されている。ＰＣ版同士の縦目地、または横目地には、乾式の雨除け材および気密材が設けられ、横連窓、または縦連窓の板ガラス同士の縦目地、または横目地には、シリコーンゴム等の中空部材からなる目地密封材が介挿されている。そして、板ガラス取付条溝内部、ＰＣ版同士の目地内部、および板ガラスの目地密封材内部に、それぞれ等圧排水空間を形成するとともに、これらの等圧排水空間同士を連通させることで、雨除け材を越えて等圧排水空間に浸入した雨水を目地密封材下部、あるいは目地交差部の水受け材まで案内して排水するようになっている。
【０００３】
【特許文献１】特公平７−６８７３４号公報
【発明の開示】
【発明が解決しようとする課題】
【０００４】
しかしながら、従来のカーテンウォールでは、ＰＣ版と板ガラス間、ＰＣ版同士の目地部、および板ガラス同士の目地部において、それぞれ異種の水密構造（形式の異なるの雨除け材や、目地密封材等）が用いられ、これら異種の水密構造がＰＣ版および板ガラスのジョイント部分に上下、左右から集中するため、水密性の点で問題がある。すなわち、ＰＣ版と板ガラスの取り付けライン、ＰＣ版同士の目地ライン、および板ガラス同士の目地ラインが交差するジョイント部（目地交差部）では、地震等の際に建物に生じる層間変位により、ＰＣ版同士、板ガラス同士、あるいはＰＣ版と板ガラス間の相対変位が大きくなり、水密性能上の弱点になりやすい。このようなジョイント部に異種の水密構造が集中した従来のカーテンウォールでは、地震等の動きに追従可能な水受け材等の付加的な部材を設けなければ、水密性を確保することが難しく、その改良が望まれていた。
【０００５】
本発明の目的は、異種の水密構造が集中することなく、水密性の向上を図ることができるカーテンウォール、およびこれを備えた建物を提供することにある。
【課題を解決するための手段】
【０００６】
本発明のカーテンウォールは、建物の外壁面を構成する複数のＰＣ版と、これらのＰＣ版に支持されるガラス面材とを備えて構成されるカーテンウォールであって、前記複数のＰＣ版は、縦目地を介して水平方向に並設され、かつ上下に離隔して配置された横ＰＣ版と、これら上下の横ＰＣ版間に配置された縦ＰＣ版とを備えて構成され、前記横ＰＣ版の縦目地の延長上に前記縦ＰＣ版が配置され、この縦ＰＣ版の上下端面と前記上下の横ＰＣ版とが横目地を介して接続され、前記ガラス面材は、上下端縁が前記上下の横ＰＣ版に支持され、左右の側端縁が左右の縦ＰＣ版に支持されていることを特徴とする。
【０００７】
ここで、ＰＣ版とは、プレキャストコンクリート版を意味する。
【０００８】
このような構成では、横ＰＣ版の縦目地の上方または下方に縦ＰＣ版を配置し、この縦ＰＣ版の上下端面と横ＰＣ版とを横目地を介して接続したことで、これらの縦目地および横目地には、ＰＣ版同士を接続する同種の水密構造が採用できる。従って、縦目地および横目地が交差するジョイント部分に異種の水密構造が集中しないので、水密性能上の弱点になりやすいジョイント部分における水密性の向上を図ることができる。また、ガラス面材の四周における横ＰＣ版および縦ＰＣ版との取付構造として、ＰＣ版同士の水密構造とは異種の構造を採用した場合でも、ガラス面材が横ＰＣ版の縦目地、つまりジョイント部分からずれた位置に設置されるため、水密性能上の弱点とはならず、水密性を確保することができる。
【０００９】
また、縦目地および横目地の交差位置において、ＰＣ版同士の同種の水密構造で構成されたカーテンウォールとして、階高およびスパンに応じた大きさのＰＣ版に窓開口を設けてガラスパネルを嵌め込んだ、いわゆるポツ窓形式のＰＣ版を採用したものが考えられる。しかし、このようなポツ窓形式のＰＣ版の場合、１枚のＰＣ版が非常に大型化するため搬送や建設現場での取り付けに手間が掛かる上、意匠デザインが限定される等の不都合が生じる。これに対して本発明では、ＰＣ版が横ＰＣ版と縦ＰＣ版とに分かれているため、個々のＰＣ版が大型化せず、また縦ＰＣ版の配置の自由度が高まることから、外観の意匠性を向上させることができる。
【００１０】
この際、本発明のカーテンウォールでは、前記横ＰＣ版の上端面における前記ガラス面材の下方には、当該ガラス面材の下端縁に沿って断面略凹状の支持溝が形成され、この支持溝の溝底に設けた支持部材上に前記ガラス面材が載置されるとともに、当該支持溝の室外側側面と前記ガラス面材の室外面との間にシール材が介挿され、当該支持溝の室内側側面と前記ガラス面材の室内面との間に気密材が介挿され、前記横ＰＣ版の上端面には、前記支持溝に連続するとともに、当該横ＰＣ版の側端面まで延びて前記縦目地に連通された排水溝が形成され、前記支持溝に浸入した雨水が前記排水溝および前記縦目地を介して室外側に排水可能に構成されることが望ましい。
このような構成では、万一、ガラス面材の室外面と横ＰＣ版の支持溝との間に介挿されたシール材部分から支持溝内部に雨水が浸入しても、浸入した雨水を支持溝に連続する排水溝を介して縦目地まで案内して室外に排水することができる。従って、カーテンウォールにおける水密性をさらに向上させることができる。
【００１１】
さらに、本発明のカーテンウォールでは、前記横ＰＣ版の側端面同士は、前記縦目地内で上下方向に延びる室外側および室内側の止水部材と、室内側の止水部材よりもさらに室内側に設けられる気密部材と、これらの止水部材および気密部材の上端部間に渡って室内外方向に延びる連結シール材とでシールされ、縦ＰＣ版の上下端面と前記上下の横ＰＣ版の下端面または上端面とは、前記横目地内で水平方向に延びる室外側および室内側の止水部材と、室内側の止水部材よりもさらに室内側に設けられる気密部材とでシールされ、前記連結シール材の室外側端部が、前記排水溝よりも下方で、かつ前記室外側の止水部材よりも室外側に延出して設けられていることが望ましい。
このような構成では、縦目地および横目地において、ＰＣ版同士の水密構造として一般的な乾式の止水部材（例えば、ゴム製の水切り材や、レインバリア、スプラッシュバリア等）、および気密部材（例えば、発泡ゴム製のウインドバリア等）が採用でき、ジョイント部における水密性、気密性をより確実なものにできる。また、縦目地において、止水部材および気密部材の上端部間に、室外側端部が前記排水溝よりも下方で、かつ室外側の止水部材よりも室外側に延出した連結シール材を設けたことで、横ＰＣ版の排水溝から縦目地内に排水された雨水を連結シール材で案内して、室外側の止水部材よりも外側、つまり室外空間に確実に排水することができる。
【００１２】
また、本発明のカーテンウォールでは、前記横ＰＣ版の下端面、または前記縦ＰＣ版の側端面には、前記ガラス面材の上端縁、または左右の側端縁を室外側から支持する支持突部が形成されるとともに、当該ガラス面材の上端縁、または左右の側端縁を室内側から前記支持突部に向かって押圧する押縁が取り付けられていることが望ましい。
このような構成では、押縁を取り外した状態で、横ＰＣ版および縦ＰＣ版で囲まれた開口部分にガラス面材をけんどん式で嵌め込み、横ＰＣ版の下端面、または縦ＰＣ版の側端面に室内側から押縁を取り付けることで、ガラス面材の取り付けを室内側から容易に実行することができる。すなわち、横ＰＣ版の下端面に支持突部および押縁を設けた場合には、縦ＰＣ版の側端面にガラス面材の側端縁が挿入可能な凹溝を形成しておくだけで、ガラス面材を左右方向のけんどん式で嵌め込むことができ、左右の縦ＰＣ版の側端面に支持突部および押縁を設けた場合には、横ＰＣ版の下端面に凹溝を形成しておけば、ガラス面材を上下方向のけんどん式で嵌め込むことができる。
【００１３】
この際、支持突部および押縁が設けられない縦ＰＣ版の側端面、または横ＰＣ版の下端面には、ガラス面材の端縁が挿入可能な凹溝が形成され、この凹溝の室外側側面とガラス面材の室外面との間にシール材が介挿され、凹溝の室内側側面とガラス面材の室内面との間に気密材が介挿されることが望ましい。さらに支持突部の室内側側面とガラス面材の室外面との間にシール材が介挿され、押縁とガラス面材の室内面との間に気密材が介挿されるように構成すれば、前記横ＰＣ版の支持溝における構造と同様の水密、気密構造によって、ガラス面材の四周を囲むことができ、ガラス面材と横ＰＣ版および縦ＰＣ版との間の水密、気密性能を確保することができる。
【００１４】
一方、本発明の建物は、前記いずれかのカーテンウォールを備えたことを特徴とする。
このような建物では、前述と同様の作用効果を奏することができ、本発明の目的を達成することができる。
【発明を実施するための最良の形態】
【００１５】
以下、本発明の一実施形態を図面に基づいて説明する。
図１は、本実施形態に係るカーテンウォール１０により外壁面が形成された建物１の一部を示す外観姿図である。図２、３は、カーテンウォール１０の縦断面図であり、図１に矢視II−II線、および矢視III−III線で示す断面図である。図４、５は、それぞれカーテンウォール１０の要部を拡大して示す縦断面図であり、図１に矢視IV−IV線、Ｖ−Ｖ線で示す断面図である。図６、７は、それぞれカーテンウォール１０の要部を拡大して示す横断面図であり、図１に矢視VI−VI線、VII−VII線で示す断面図である。
【００１６】
図１〜３において、建物１の外壁面は、複数のＰＣ（プレキャストコンクリート）版１１と、ＰＣ版１１に支持されたガラス面材としての複層ガラス１２とを備えたカーテンウォール１０によって構成されている。
ＰＣ版１１は、各フロアの床レベル（図中ＦＬで示す）近傍の高さ位置（スパンドレル部）に水平方向に並設された横ＰＣ版２０と、上下フロアの横ＰＣ版１２間に配置された縦ＰＣ版３０とから構成されている。横ＰＣ版２０は、図２に示すように、建物１の各フロアの梁２や床スラブ３に、適宜ブラケット等を介して取り付けられたファスナ４で固定されている。縦ＰＣ版３０は、図３に示すように、梁２や床スラブ３に固定されたブラケット８を介して取り付けられたファスナ４で固定されている。
複層ガラス１２は、横ＰＣ版２０および縦ＰＣ版３０で形成された開口部に、横ＰＣ版２０および縦ＰＣ版３０に四周が支持されて取り付けられている。
【００１７】
横ＰＣ版２０は、水平方向に長い正面矩形板状の部材であり、水平方向に隣り合う横ＰＣ版２０の側端面同士が所定間隔（例えば、２０〜３０mm）離れて対向し、この間隔部分に縦目地１３が設けられている。縦ＰＣ版３０は、鉛直方向に長い正面矩形板状の部材であり、横ＰＣ版２０の縦目地１３の延長上、または横ＰＣ版２０の長手方向途中位置に設けられている。そして、縦ＰＣ版３０の上下端面と、横ＰＣ版２０の下端面または上端面とは、所定間隔（例えば、２０〜３０mm）離れて対向し、この間隔部分に横目地１４が設けられている。
【００１８】
図４において、横ＰＣ版２０の上端面２１における複層ガラス１２の下方位置には、複層ガラス１２の下端縁に沿って断面略凹状の支持溝２２が形成されている。この支持溝２２の溝底２２Ａは、室外側が低くなった段付き状に形成されている。この溝底２２Ａには、断面略コ字形の支持部材２３が設置され、この支持部材２３上にセッティングブロック２４を介して複層ガラス１２が載置されている。また、支持溝２２の室外側側面と複層ガラス１２の室外面との間には、バックアップ材１５と、シール材としてのシリコンシール１６が介挿されている。さらに、支持溝２２の室内側側面と複層ガラス１２の室内面との間には、バックアップ材１５と、気密材としてのシリコンシール１６が介挿されている。このシリコンシール１６は、複層ガラス１２を嵌め込み、バックアップ材１５を支持溝２２の側面と複層ガラス１２との間に挿入した状態で、支持溝２２の側面、複層ガラス１２、およびバックアップ材１５で形成される溝状部分に注入して、施工される湿式のシール材である。
なお、シール材および気密材としては、シリコン製に限らず、他の合成樹脂製の湿式シール材でもよく、また、ゴム製などの乾式のシール材でもよい。
【００１９】
一方、横ＰＣ版２０の下端面２５には、複層ガラス１２の上端縁の室外側位置で下方に向かって突出した支持突部２６が形成されている。また、複層ガラス１２を挟んで室内側には、横ＰＣ版２０の下端面２５に図示しないアンカーボルトで固定されたアタッチメント６に着脱自在に取り付けた押縁５が設けられている。つまり、横ＰＣ版２０の下端面２５には、支持突部２６および押縁５により凹溝部が形成されており、この凹溝部に複層ガラス１２の上端縁が支持されている。そして、支持突部２６および押縁５と、複層ガラス１２との間には、前記横ＰＣ版２０の上端面２１における支持溝２２と同様のバックアップ材１５、シール材としてのシリコンシール１６、および気密材としてのシリコンシール１６が介挿されている。このような横ＰＣ版２０の下端面２５において、複層ガラス１２を嵌め込み、押縁５を取り付けた後、バックアップ材１５およびシリコンシール１６の施工を実施することで、複層ガラス１２の上端縁が押縁５で室内側から支持突部２６に向かって押圧され、室外側の支持突部２６と押縁５とで挟持されることになる。また、押縁５と横ＰＣ版２０の下端面２５との間には、シリコンシール１６が介挿され、押縁５の室内側には、カバー材７が取り付けられている。
なお、押縁５を固定するアタッチメント６は、横ＰＣ版２０の下端面２５に対してアンカーボルト等で固定されたものに限らず、横ＰＣ版２０に打ち込み（埋め込み）、下端面２５から突出させたものでもよい。
【００２０】
また、図５に示すように、横ＰＣ版２０の上端面２１における縦ＰＣ版３０の下方位置には、前記支持溝２２に連続した排水溝２７が形成されている。この排水溝２７は、支持溝２２の溝底２２Ａにおける段付き下段側の底部に連続し、横ＰＣ版２０の側端面２８に向かって下がる勾配を有した溝底２７Ａを有している。また、横ＰＣ版２０の上端面２１と横目地１４を介して対向する縦ＰＣ版３０の下端面３１は、略水平に形成されている。
一方、横ＰＣ版２０の下端面２５には、前記支持突部２６の下端面とフラットに連続する下端面を有した段付き部２６Ａが形成されている。この段付き部２６Ａの室内側側面は、支持突部２６の室内側側面よりも室内側位置に傾斜して設けられている。このような横ＰＣ版２０の下端面２５と横目地１４を介して対向する縦ＰＣ版３０の上端面３２には、横ＰＣ版２０の段付き部２６Ａに沿った室外側の切欠き部３２Ａが形成されている。
【００２１】
以上のような横ＰＣ版２０の上下端面２１，２５と、縦ＰＣ版３０の下上端面３１，３２との間、すなわち横目地１４内部には、水平方向に延びる室外側の止水部材（水切りゴム）１７と、室内側の止水部材（レインバリア）１８と、室内側の止水部材１８よりもさらに室内側の気密部材（ウインドバリア）１９とが設けられている。すなわち、横ＰＣ版２０の上下端面２１，２５と、縦ＰＣ版３０の下上端面３１，３２とは、上側の部材の下端面３１，２５に固定された止水部材１７，１８の先端が下側の部材の上端面２１，３２に当接するとともに、互いの対向位置に固定された気密部材１９同士が当接することで、シールされている。
【００２２】
縦ＰＣ版３０の下端面３１および横ＰＣ版２０の下端面２５に設けられた室外側の止水部材１７は、室内外方向に関して略同一位置で、かつ横ＰＣ版２０の上端面２１における排水溝２７よりも室外側となる位置に設けられている。また、縦ＰＣ版３０の下端面３１および横ＰＣ版２０の下端面２５に設けられた室内側の止水部材１８は、室内外方向に関して略同一位置で、排水溝２７よりも室内側、かつ縦ＰＣ版３０の上端面３２における切欠き部３２Ａよりも室内側となる位置に設けられている。そして、気密部材１９は、横目地１４の室内側端で、横ＰＣ版２０の上端面２１、または縦ＰＣ版３０の上端面３２よりも若干高くなった位置に設けられている。
【００２３】
次に、図６に示すように、縦ＰＣ版３０の側端面３３には、複層ガラス１２の側端縁に沿って断面略凹状の凹溝３４が形成されている。この凹溝３４の室外側側面と複層ガラス１２の室外面との間、および凹溝３４の室内側側面と複層ガラス１２の室内面との間には、前述と同様のバックアップ材１５およびシリコンシール１６が介挿されている。これにより、複層ガラス１２の四周は、同種の水密、気密構造である湿式のシリコンシール１６により囲まれ、横ＰＣ版２０および縦ＰＣ版３０との間がシールされることになる。
【００２４】
また、図７に示すように、横ＰＣ版２０の側端面２８同士が対向する縦目地１３内部には、前述の横目地１４内部と同様に、上下方向に延びる室外側の止水部材１７と、室内側の止水部材１８Ａと、室内側の止水部材１８Ａよりもさらに室内側の気密部材１９とが設けられている。すなわち、横ＰＣ版２０の側端面２８同士は、いずれか一方の側端面２８に固定された止水部材１７，１８Ａの先端が他方の側端面２８に当接するとともに、互いの対向位置に固定された気密部材１９同士が当接することで、シールされている。これらの止水部材１７，１８Ａおよび気密部材１９は、前述の横目地１４内部に設けられた止水部材１７，１８および気密部材１９と、室内外方向に関して略同一位置に設けられている。
なお、図７中、室内側の止水部材１８Ａは、前述の止水部材１８と異なり、中空状に形成された部材であるが、前述の止水部材１８と同様の２つのヒレ状部が突出した形態の部材としてもよい。また、同様に横ＰＣ版２０の側端面２８に用いた中空状の止水部材１８Ａを、下端面２１の止水部材１８に用いてもよい。
【００２５】
次に、横ＰＣ版２０の上端面２１および縦目地１３における排水構造について、図８〜１０に基づいて詳説する。
図８は、横ＰＣ版２０の上端面２１を示す平面図であり、図９は、横ＰＣ版２０の側端面２８を示す側面図である。図１０は、横ＰＣ版２０の縦目地１３部分を上方から見た斜視図である。
図８〜１０において、横ＰＣ版２０の縦目地１３には、止水部材１７，１８Ａおよび気密部材１９の上端部間を連結する連結シール材４０が設けられている。
【００２６】
連結シール材４０は、クランク状に室内外方向に延びて、横ＰＣ版２０の側端面２８同士間をシールするシリコンゴム製のウェットシール材である。そして、連結シール材４０は、気密部材１９に端部が接続され横ＰＣ版２０の上端面２１に沿って略水平に延びる上面部４０Ａと、横ＰＣ版２０の排水溝２７端縁部に沿って室外側に傾斜した傾斜面部４０Ｂと、排水溝２７の溝底２７Ａよりも下方に位置し、室外側の止水部材１７よりも室外側に延びる排水面部４０Ｃとを備えている。また、連結シール材４０の下側で室内外の止水部材１７，１８Ａおよび気密部材１９間には、バックアップ材４１，４２が設けられている。
なお、連結シール材４０およびバックアップ材４１，４２をシリコンスポンジ等から一体に成形した連結シール材を採用してもよい。
【００２７】
以上のような横ＰＣ版２０の上端面２１および縦目地１３において、万一、複層ガラス１２のシール材部分から雨水が浸入した場合、浸入した雨水は支持溝２２内に流れ落ちる。そして、この雨水は、支持溝２２の溝底２２Ａ上を流れて排水溝２７に導かれ、排水溝２７の溝底２７Ａ上を横ＰＣ版２０の側端面２８に向かって流れて縦目地１３内に流れ落ちる。縦目地１３に流れ落ちた雨水は、連結シール材４０の排水面部４０Ｃに受け止められ、排水面部４０Ｃの室外側に向かって下がる傾斜に沿って流れ、室外側の止水部材１７よりも外側の室外空間に排水される。
【００２８】
また、横ＰＣ版２０の縦目地１３や縦ＰＣ版３０上端の横目地１４において、万一、室外側の止水部材１７から目地内に雨水が浸入した場合、浸入した雨水は、室内外の止水部材１７，１８間を縦ＰＣ版３０の側端面３３に向かって流れ、側端面３３の凹溝３４に導かれる。そして、凹溝３４を流れ落ちた雨水は、縦ＰＣ版３０の下方に位置する横ＰＣ版２０の支持溝２２内に達し、上述と同様に排水溝２７を通って、縦目地１３の連結シール材４０から室外に排水されるようになっている。
【００２９】
以上のカーテンウォール１０において、ＰＣ版１１および複層ガラス１２は、以下のような手順で取り付けられる。まず、下端面２５および側端面２８に止水部材１７，１８，１８Ａおよび気密部材１９が予め取り付けられた横ＰＣ版２０を、下のフロアの縦ＰＣ版３０上側でファスナ４を介して、建物１の梁２や床スラブ３に固定する。この際、下端面２５の止水部材１７，１８および気密部材１９が、縦ＰＣ版３０の上端面３２および上端面３２の気密部材１９に密接し、側端面２８の止水部材１７，１８Ａおよび気密部材１９が対向する横ＰＣ版２０の側端面２８および気密部材１９に密接するように横ＰＣ版２０を設置する。
【００３０】
次に、固定された横ＰＣ版２０の上側において、下端面３１に止水部材１７，１８および気密部材１９が予め取り付けられた縦ＰＣ版３０を、下端面３１の止水部材１７，１８および気密部材１９が、横ＰＣ版２０の上端面２１および上端面２１の気密部材１９に密接するように固定する。これに続いて、固定された縦ＰＣ版３０の上側に、前述と同様の方法で、上のフロアの横ＰＣ版２０を設置する。これにより、１フロア分の横ＰＣ版２０および縦ＰＣ版３０が固定され、このようなＰＣ版１１の取り付けを順次、上のフロアに向かって繰り返すことで建物１の外壁面が形成される。そして、これらの横ＰＣ版２０および縦ＰＣ版３０で囲まれた開口部に複層ガラス１２を取り付ける。
【００３１】
複層ガラス１２の取り付けに先だって、前記連結シール材４０およびバックアップ材４１，４２を横ＰＣ版２０の縦目地１３に取り付けるとともに、横ＰＣ版２０の支持溝２２に前記支持部材２３およびセッティングブロック２４を設置する。その後、室内側から適宜なガラス吸着装置等を用いて複層ガラス１２を略垂直に支持し、横ＰＣ版２０の上端面２１よりも高く持ち上げた状態で、複層ガラス１２の一方の側端縁を縦ＰＣ版３０の凹溝３４に挿入し、続いて、他方の側端縁を他方の縦ＰＣ版３０の凹溝３４に挿入する。このように、いわゆる左右けんどん式により複層ガラス１２を縦ＰＣ版３０間に挿入した後、複層ガラス１２の下端縁を横ＰＣ版２０の支持溝２２に挿入して、支持部材２３およびセッティングブロック２４に載置する。そして、複層ガラス１２の上端縁位置において、押縁５を上部の横ＰＣ版２０の下端面２５に取り付ける。この後、複層ガラス１２の四周において、複層ガラス１２の内外面に密接するシリコンシール１６を取り付けて、複層ガラス１２の取り付けが完了する。
【００３２】
なお、複層ガラス１２の取付方法としては、左右のけんどん式で嵌め込むものに限らず、上下のけんどん式で嵌め込む方法が採用できる。
上下のけんどん式で複層ガラス１２を嵌め込む場合には、左右の縦ＰＣ版３０の側端面３３に、横ＰＣ版２０の下端面２５に設けたのと同様の支持突部および押縁を設け、横ＰＣ版の下端面に凹溝を形成しておく。そして、まず複層ガラス１２の上端縁を横ＰＣ版２０の下端面２５の凹溝に挿入し、次に複層ガラス１２の下端縁を横ＰＣ版２０の上端面２１の支持溝２２に挿入して、支持部材２３およびセッティングブロック２４に載置する。その後、左右の縦ＰＣ版３０の側端面３３に押縁を取り付けることで、複層ガラス１２が取り付けられる。
【００３３】
このような本実施形態によれば、以下のような効果がある。
(１) 横ＰＣ版２０の縦目地１３の延長上に縦ＰＣ版３０を配置し、この縦ＰＣ版３０の上下端面３１，３２と横ＰＣ版２０とを横目地１４を介して接続したことで、これらの縦目地１３および横目地１４には、ＰＣ版１１同士を接続する同種の水密構造が採用できる。従って、縦目地１３および横目地１４が交差するジョイント部分に異種の水密構造が集中しないので、水密性能上の弱点になりやすいジョイント部分における水密性の向上を図ることができる。
【００３４】
(２) また、複層ガラス１２の四周における横ＰＣ版２０および縦ＰＣ版３０との取付構造として、ＰＣ版１１同士の水密構造とは異種の構造を採用した場合でも、複層ガラス１２が横ＰＣ版２０の縦目地１３からずれた位置に設置されるため、水密性能上の弱点とはならず、水密性を確保することができる。
【００３５】
(３) さらに、ＰＣ版１１が横ＰＣ版２０と縦ＰＣ版３０とに分かれているため、個々のＰＣ版１１が大型化せず、また縦ＰＣ版３０の配置の自由度が高まることから、ポツ窓形式のＰＣ版を採用した場合と比較して、外観の意匠性を向上させることができる。
【００３６】
(４) また、万一、複層ガラス１２の室外面と横ＰＣ版２０の支持溝２２との間に介挿されたシリコンシール１６部分から支持溝２２内部に雨水が浸入しても、浸入した雨水を支持溝２２に連続する排水溝２７を介して縦目地１３まで案内して、連結シール材４０位置から室外に排水することができる。従って、カーテンウォール１０における水密性をさらに向上させることができる。
【００３７】
(５) この際、連結シール材４０が縦目地１３内の止水部材１７，１８Ａおよび気密部材１９の上端部間を連結し、かつ室外側の止水部材１７よりも室外側に延出して設けられているで、横ＰＣ版２０の排水溝２７から縦目地１３内に排水された雨水を連結シール材４０で案内して、室外側の止水部材１７よりも外側、つまり室外空間に確実に排水することができる。
【００３８】
(６) さらに、縦目地１３および横目地１４において、ＰＣ版１１同士の水密構造として一般的な乾式の止水部材１７，１８，１８Ａおよび気密部材１９を採用したことで、縦目地１３および横目地１４が交差するジョイント部における水密性、気密性をより確実なものにできる。
【００３９】
(７) また、横ＰＣ版２０および縦ＰＣ版３０で囲まれた開口部分に複層ガラス１２をけんどん式で嵌め込み、横ＰＣ版２０の下端面２５、または縦ＰＣ版３０の側端面３３に室内側から押縁５を取り付けることで、複層ガラス１２の取り付けを室内側から容易に実行することができる。従って、建物１が高層建築の場合でも、室内側からガラス取付作業を実施でき、作業性を良好にすることができる。
【００４０】
なお、本発明は、前記実施形態に限定されるものではない。
例えば、前記実施形態では、ＰＣ版１１同士を乾式の止水部材１７，１８，１８Ａ、および気密部材１９で接続したが、これに限らず、建設現場において施工される湿式のシール構造を採用してもよい。この際、複層ガラス１２の四周におけるシール構造と、ＰＣ版１１同士の間のシール構造を共通のものにしてもよい。
【００４１】
また、前記実施形態では、ガラス面材として複層ガラス１２を採用したが、これに限らず、単板ガラスでもよく、また、合わせガラスや網入りガラス等でもよい。さらに、横ＰＣ版２０および縦ＰＣ版３０で囲まれた１つの開口部内に複数のガラス面材が配置されていてもよく、この際、ガラス面材同士は、適宜なシール材等で連結されていればよい。
また、前記実施形態では、横ＰＣ版２０の設置位置は、各フロアの床レベルの上下に跨るスパンドレル部としたが、これに限らず、腰壁位置や垂れ壁位置であってもよく、また、２層分やそれ以上のフロアに渡る開口部の上下位置に横ＰＣ版を設置してもよい。
【００４２】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００４３】
本発明は、建物の外壁面を形成するカーテンウォールに好適であり、特に鉄骨造や鉄骨鉄筋コンクリート造、鉄筋コンクリート造の中層、中高層、高層、超高層建物の外壁面を形成するカーテンウォールに適している。
【図面の簡単な説明】
【００４４】
【図１】本発明の一実施形態に係るカーテンウォールにより外壁面が形成された建物の一部を示す外観姿図である。
【図２】前記カーテンウォールの縦断面図であり、図１に矢視II−II線で示す断面図である。
【図３】前記カーテンウォールの縦断面図であり、図１に矢視III−III線で示す断面図である。
【図４】前記カーテンウォールの要部を拡大して示す縦断面図であり、図１に矢視IV−IV線で示す断面図である。
【図５】前記カーテンウォールの要部を拡大して示す縦断面図であり、図１に矢視Ｖ−Ｖ線で示す断面図である。
【図６】前記カーテンウォールの要部を拡大して示す横断面図であり、図１に矢視VI−VI線で示す断面図である。
【図７】前記カーテンウォールの要部を拡大して示す横断面図であり、図１に矢視VII−VII線で示す断面図である。
【図８】前記カーテンウォールを構成する横ＰＣ版の上端面を示す平面図である。
【図９】前記横ＰＣ版の側端面を示す側面図である。
【図１０】前記横ＰＣ版の縦目地部分を上方から見た斜視図である。
【符号の説明】
【００４５】
１…建物、５…押縁、１０…カーテンウォール、１１…ＰＣ版、１２…ガラス面材である複層ガラス、１３…縦目地、１４…横目地、１６…シール材および気密材であるシリコンシール、１７，１８，１８Ａ…止水部材、１９…気密部材、２０…横ＰＣ版、２１…横ＰＣ版の上端面、２２…支持溝、２３…支持部材、２５…横ＰＣ版の下端面、２６…支持突部、２７…排水溝、２８…横ＰＣ版の側端面、３０…縦ＰＣ版、３１…縦ＰＣ版の下端面、３２…縦ＰＣ版の上端面、３３…縦ＰＣ版の側端面、４０…連結シール材。
【図１】
2005213864.tif 000003
【図２】
2005213864.tif 000004
【図３】
2005213864.tif 000005
【図４】
2005213864.tif 000006
【図５】
2005213864.tif 000007
【図６】
2005213864.tif 000008
【図７】
2005213864.tif 000009
【図８】
2005213864.tif 000010
【図９】
2005213864.tif 000011
【図１０】
2005213864.tif 000012